(57)【要約】      （修正有）【課題】簡単な構造で必要とする長さを簡単且つ容易に設定できるコスト的にも安価な伸縮構造を備えたスリーブ装置を提供する。【解決手段】コンクリート打ちされる床位置等に配置されて配管通し穴を形成する建築用のスリーブ装置１０は、小径の第１スリーブ１２と、第１スリーブ１２の外側に摺動自在に装着された大径の第２スリーブ１４と、第１スリーブ１２を挿嵌する第２スリーブ１４の開口端に隣接して同軸に固定配置され、第１スリーブ１２を締め付け固定するバンド部材１６とを備える。バンド部材１６は、円形に形成した円形バンドの両端部を外側径方向に屈曲して通し穴を備えた相対する一対の締付片２０を設け、円形バンドの周方向の中央部付近を固定部材１８を介して第２スリーブ１４の外周に固定し、一対の締付片２０の通し穴にボルト２２を通してナット２４と螺合することにより第１スリーブ１２を締め付け固定する。【選択図】図１
2007315059.tif 000002
【特許請求の範囲】
【請求項１】
コンクリート打ちされる床位置等に配置されて配管通し穴を形成する建築用スリーブ装置に於いて、
小径の第１スリーブと、
前記第１スリーブの外側に摺動自在に装着された大径の第２スリーブと、
前記第１スリーブを挿嵌する前記第２スリーブの開口端に隣接して同軸に固定配置され、前記第１スリーブを締め付け固定するバンド部材と、
とを備えたことを特徴とする建築用スリーブ装置。
【請求項２】
請求項１記載の建築用スリーブ装置に於いて、前記バンド部材は、円形に形成した円形バンドの両端部を外側径方向に屈曲して通し穴を備えた相対する一対の締付片を設け、前記円形バンドの周方向の１又は複数箇所を固定部材を介して前記第２スリーブの外周に固定し、前記一対の締付片の通し穴にボルトを通してナットと螺合することにより前記第１スリーブを締め付け固定することを特徴とする建築用スリーブ装置。
【請求項３】
請求項２記載の建築用スリーブ装置に於いて、前記バンド部材は、前記円形バンドの周方向の中央部付近の１箇所を固定部材を介して前記第２スリーブの外周に固定したことを特徴とする建築用スリーブ装置。
【請求項４】
請求項１記載の建築用スリーブ装置に於いて、前記バンド部材は、半円形に形成した一対の半円形バンドの両端部を外側径方向に屈曲して通し穴を備えた締付片を設け、前記半円形バンドの周方向の中央部付近を固定部材を介して前記第２スリーブの外周に固定し、前記一対の半円形帯板の相対する締付片の通し穴にボルトを通してナットと螺合することにより前記第１スリーブを締め付け固定することを特徴とする建築用用スリーブ装置。
【請求項５】
請求項１記載の建築用スリーブ装置に於いて、前記第１スリーブが前記バンド部材と第２スリーブの連接部分に完全に挿嵌された最小長から前記第１スリーブの端部が前記バンド部材に位置する最大長の範囲の任意の長さに伸縮して設定可能であることを特徴とする建築用スリーブ装置。
【発明の詳細な説明】
【技術分野】
【０００１】
本発明は、ビル工事などで床や壁となる位置に取り付けてコンクリート打ちの際に配管通し穴を貫通形成する建築用スリーブ装置に関する。
【背景技術】
【０００２】
従来、ビル工事の際には、鉄筋を組んだ際に配管を通す床の部分に円筒形のスリーブを組みつけている。このようなスリーブは薄肉の鉄板で作られており、コンクリート打ちで構築される床の厚さに一致する高さ寸法のスリーブを製造して取り付けるようにしている。
【０００３】
このような従来の建築用スリーブにあっては、施工する建物の床の厚さに一致する高さが必要であり、床の高さは例えば２００ｍｍから６００ｍｍ程度の範囲にあるが、同じ建物であっても、階によって寸法が例えば５ｍｍ単位で相違する場合があり、寸法の異なるスリーブを必要数だけ製造しなければならないという多品種少量生産であり、現場の工事予定に併せて例えば２〜３日単位で製造して納品するような生産形態をとらざるを得ず、長期的な生産計画を立てることは困難であり、現場作業的な製造となるために、製造にかかる工数及び負担が大きな問題となっている。
【０００４】
そこで、固定スリーブの両側に可動スリーブを配置した３分割構造により伸縮自在とし、可動範囲で任意の長さに調整して使用できる伸縮スリーブ装置が提案されている（特許文献１〜４参照）。
【特許文献１】特開平５−１９５６２０号
【特許文献２】特開平９−１５８４７６号
【特許文献３】特開２００１−１８２３１９号
【特許文献４】特開２００２−３１７５５６号
【発明の開示】
【発明が解決しようとする課題】
【０００５】
しかしながら、このような従来の伸縮自在な建築用スリーブ装置にあっては、固定スリーブの両側に可動スリーブを配置した３分割構造であることから、部品点数が増加すると共に連結部分の構造が複雑化であり、また長さを調整する際には固定スリーブに対し両側の可動スリーブの伸縮状態を調整しなければならないため、現場で行う調整作業もかなり煩雑であり、更に、部品点数が多く構造が複雑なことに伴う製造工数の増加からコストも高価に成らざるを得ず、その実用化と普及は殆ど進んでいない状況にある。
【０００６】
本発明は、簡単な構造で必要とする長さを簡単且つ容易に設定できるコスト的にも安価な伸縮構造を備えた建築用スリーブ装置を提供することを目的とする。
【課題を解決するための手段】
【０００７】
この目的を達成するため本発明は次のように構成する。本発明は、コンクリート打ちされる床位置等に配置されて配管通し穴を形成する建築用スリーブ装置に於いて、
小径の第１スリーブと、
第１スリーブの外側に摺動自在に装着された大径の第２スリーブと、
第１スリーブを挿嵌する第２スリーブの開口端に隣接して同軸に固定配置され、第１スリーブを締め付け固定するバンド部材と、
とを備えたことを特徴とする。
【０００８】
ここで、バンド部材は、円形に形成した円形バンドの両端部を外側径方向に屈曲して通し穴を備えた相対する一対の締付片を設け、円形バンドの周方向の１又は複数箇所を固定部材を介して第２スリーブの外周に固定し、一対の締付片の通し穴にボルトを通してナットと螺合することにより第１スリーブを締め付け固定する。例えばバンド部材は、円形バンドの周方向の中央部付近の１箇所を固定部材を介して第２スリーブの外周に固定する。
【０００９】
またバンド部材は、半円形に形成した一対の半円形バンドの両端部を外側径方向に屈曲して通し穴を備えた締付片を設け、半円形バンドの周方向の中央部付近を固定部材を介して第２スリーブの外周に固定し、一対の半円形帯板の相対する締付片の通し穴にボルトを通してナットと螺合することにより第１スリーブを締め付け固定するようにしても良い。
【００１０】
本発明の建築用スリーブ装置に於いて、第１スリーブの軸方向の長さは、第１スリーブがバンド部材と第２スリーブの連接部分に完全に挿嵌された最小長から第１スリーブの端部がバンド部材に位置する最大長の範囲の任意の長さに伸縮して設定可能である。
【発明の効果】
【００１１】
本発明によれば、小径の第１スリーブが挿嵌される大径の第２スリーブの開口端に隣接してバンド部材を同軸に固定配置してボルトとナットにより第２スリーブに対し伸縮調整された第１スリーブを締付け固定するため、第１スリーブとバンド部材を固定した第２スリーブとの２分割構造であることから、構造が簡単化であり、軸方向に伸縮して長さを決める調整作業も簡単且つ容易であり、調整位置での固定もバンドのボルトとナットによる締付けで簡単にでき、コストも大幅に低減できたことで、伸縮構造を持つ建築用スリーブの広範な普及と利用が期待できる。
【００１２】
またバンド部材として、円形バンドを使用してボルトとナットによる締付け箇所が１又は複数箇所の構造と、固定箇所を１箇所とした場合には、部品数が最小となり、製造コストも最小におさえることができる。
【００１３】
更にバンド部材として、分割した半円形バンドの２箇所についてボルトとナットによる締付ける構造にあっては、中心を挟んで向かい合う２箇所であることから、バンドを締付けると第２スリーブに対し締付け固定する第１スリーブのセンタリングが行われ、両者の軸芯線を一致する方向に固定されることで、高い組立精度が得られ、第１スリーブと第２スリーブの径方向の寸法差に起因したずれを防ぐことができる。
【発明を実施するための最良の形態】
【００１４】
図１は本発明による建築用スリーブ装置の一実施形態を示した説明図であり、図１（Ａ）に最小寸法に縮めた状態を示し、図１（Ｂ）に最大寸法に伸ばした状態を示し、更に図１（Ｃ）に平面図を示している。
【００１５】
図１において、本実施形態のスリーブ装置１０は、例えば最大寸法に伸ばした図１（Ｂ）から明らかなように、外径Ｄ１を持つ第１スリーブ１２、第１スリーブ１２の外側に摺動自在に装着された外径Ｄ１より大きい外径Ｄ２を持つ第２スリーブ１４、及び第１スリーブ１２を挿嵌する第２スリーブ１４の開口端に隣接して同軸に固定配置されて第１スリーブ１２を締付け固定するバンド部材１６を備えている。
【００１６】
図２は図１の第１スリーブ１２を取り出しており、図２（Ａ）に側面図を、図２（Ｂ）に平面図を示している。図２において、第１スリーブ１２は、外径Ｄ１、長さＬ１１の円筒体であり、厚さ２ｍｍ程度の金属板を板金加工して円筒状に形成して接合面をスポット溶接などにより固定している。
【００１７】
ここで第２スリーブ１４の外径Ｄ２は例えばＤ２＝１００ｍｍであり、これに対し第１スリーブ１２の外径Ｄ１はＤ１＝９６〜９７ｍｍである。
【００１８】
第１スリーブ１２の左端に必要に応じて固定金具２６を３箇所に設けており、固定金具２６には第１スリーブ１２の立ち上がり部分に向けて釘穴を形成した釘ホルダ２８が一体に形成され、更に外側に釘穴３０を形成している。
【００１９】
図３は図１の第２スリーブ１４側を取り出して示しており、図３（Ａ）が側面図、図３（Ｂ）が平面図である。
【００２０】
図３において、第２スリーブ１４は図２の第１スリーブ１２と同様、厚さ２ｍｍ程度の金属板を板金加工により円筒状に形成して接合部分をスポット溶接などにより固定しており、右端には開口部の径を広げた拡径部１５を形成し、左端には同軸に隣接してバンド部材１６を配置している。
【００２１】
バンド部材１６は図３（Ｂ）のように、帯状のバンド板を板金加工により丸く成形して円形バンド１６ａを形成し、バンド端部を外側径方向に屈曲して一対の締付片２０を形成している。締付片２０の相対する位置には図示しない通し穴が設けられ、通し穴に一方からボルト２２を通し、反対側にナット２４を螺合し、バンド部材１６を締付けできるようにしている。
【００２２】
バンド部材１６の第２スリーブ１４に対する固定は、側面に配置された一対の固定部材１８をスポット溶接部３２に示すように複数箇所のスポット溶接で固定して、第２スリーブ１４とバンド部材１６を連結している。
【００２３】
リング部材１６の内径はＤ３であり、ボルト２２とナット２４で締付片２２を接触する位置まで締付けた際の最小径は、図２の第１スリーブ１２の外径Ｄ１より１〜２ｍｍ程度小さくなるようにしている。
【００２４】
図４は図３の第２スリーブ１４側の組立分解図である。図４から明らかなように、円筒体として板金加工により形成された第２スリーブ１４の第１スリーブ挿入側の端部外周面に一対の固定部材１８をスポット溶接により固定し、第２スリーブ１４の開口端に隣接してバンド部材１６を両者の端面が接触するように配置した状態で、固定部材１８とバンド部材１６をスポット溶接して固定する。
【００２５】
再び図１を参照して、第１スリーブ１２とバンド部材１６を一体に備えた第２スリーブ１４による本実施形態の伸縮機能を説明する。
【００２６】
図１（Ａ）の最小長Ｌ１の状態は、第１スリーブ１２の外側に完全に第２スリーブ１４を嵌め入れ、両者の右側端部を揃えた状態である。これに対し図１（Ｂ）の最大長Ｌ２は、図１（Ａ）の状態から第１スリーブ１２に対し外側の第２スリーブ１４を引き出し、第１スリーブ１２の先端と第２スリーブ１４の先端との重なり部分の長さがΔＬとなるように位置決めしてバンド部材１６により締付け固定した状態である。
【００２７】
ここで第１スリーブ１２と第２スリーブ１４の重なり長さΔＬは、例えばΔＬ＝１０ｍｍ程度とする。このように最大寸法の際に第１スリーブ１２と第２スリーブ１４に重なり部分ΔＬを持つことが望ましいが、実際の組付けにおいて更に最大寸法Ｌ２を超える長さが必要な場合には、重なり長さΔＬ＝０とし、バンド部材１６のみで第１スリーブ１２の先端を締め付け固定してもよい。
【００２８】
ここで本実施形態による建築用スリーブ装置を設ける床や壁などの厚さは１００ｍｍ〜４００ｍｍ程度の範囲にあることから、本実施形態にあっては図５のタイプ１型〜４型に示す異なった寸法のものを準備することになる。
【００２９】
図５において、Ｌ１は図１（Ａ）の最も短く縮めた最小長であり、Ｌ２は図１（Ｂ）の最も伸ばした最大長である。またＬ１１は図２に示す第１スリーブ１２の長さであり、Ｌ２１は図３に示すバンド部材１６を含めた第２スリーブ１４の長さである。更にＬ３は図１（Ｂ）に示すバンド部材１６の長さであり、ΔＬは第１スリーブ１２と第２スリーブ１４の先端重なり部分の長さである。
【００３０】
ここで図５におけるバンド部材１６の長さＬ３をＬ３＝２０ｍｍ、重なり部分の長さΔＬをΔＬ＝１０ｍｍの固定値とすると、タイプ１型〜４型ごとに図５に示す寸法設定が行われている。
【００３１】
ここで図１（Ａ）から明らかなように、最小長Ｌ１は図２（Ａ）の第１スリーブ１２の長さＬ１１に等しいことから、
Ｌ１＝Ｌ１１
の関係にある。
【００３２】
また図１（Ｂ）の最大長Ｌ２は、第１スリーブ１２の長さＬ１１と第２スリーブ１４の長さＬ２１を加算した長さから重なり部分の長さ（Ｌ３＋ΔＬ）を差し引いた長さであり、
Ｌ２＝Ｌ１１＋Ｌ２１−（Ｌ３＋ΔＬ）
で与えられる。
【００３３】
なお図５の寸法一覧にあっては、１型〜４型における短い方のタイプの最大長さＬ２と隣接する長い方の最小長さＬ１の間に長さをカバーしない領域が存在するが、隣接するタイプとの間で寸法範囲を連続させてもよいし重複させるようにしてもよい。
【００３４】
図６は図１の実施形態における第２スリーブ１４とバンド部材１６の固定部材１８による固定構造の説明図である。図６（Ａ）は図３及び図４に示した固定構造であり、第２スリーブ１４の中心を通る相対した外周２箇所に固定部材１８を配置してバンド部材１６と固定し、一対のバンド部材１６による固定位置に対し直交する位置に締付片２０を形成し、ボルト２２とナット２４で締付け固定している。
【００３５】
このバンド固定構造にあっては、固定部材１８による２箇所のバンド部材１６の固定部に対し締付片２０を締め付けることで、バンド部材１６が破線１６ｃに示すように変形し、内部に位置する第１スリーブ１２を締付け固定することになる。
【００３６】
図６（Ｂ）は一対の固定部材１８によるバンド部材１６の固定位置を締付片２０から遠ざけた場合であり、この場合の締付けによるバンド部材１６の変形は破線１６ｄで示すようになり、図６（Ａ）に比べバンドの変形範囲を拡大することができ、これによって締付け固定力を大きくすることができる。
【００３７】
図６（Ｃ）は第２スリーブ１４とバンド部材１６の固定を１つの固定部材１８で行った場合であり、固定部材１８によるバンド部材１６の固定位置に対し締付片２０は中心を通る径方向の相対した位置に配置されている。この場合の締付けによるバンド部材１６の変形は破線１６ｅで示すように全体的に変形し、これにより図６（Ｂ）よりもバンド部材による締付け固定力を大きくすることができる。
【００３８】
また図６（Ｃ）の場合には、第２スリーブ１４とバンド部材１６の固定箇所が固定部材１８による１箇所であることから、構造が簡単で組立も容易にできるメリットがある。
【００３９】
図７は本発明による建築用スリーブ装置の他の実施形態を示した説明図であり、図７（Ａ）が最も縮んだ状態の説明図、図７（Ｂ）は最も伸ばした状態の説明図、更に図７（Ｃ）は平面図である。図７の実施形態のスリーブ装置１０における第１スリーブ１２は図１の実施形態と同じであるが、第２スリーブ１４側が図８に取り出して示すように異なった構造となっている。
【００４０】
図８（Ａ）は第２スリーブ１４側の側面図、図８（Ｂ）は平面図である。図８において、第２スリーブ１４そのものは図１の実施形態と同じであるが、第２スリーブ１４に隣接して同軸に配置固定するバンド部材１６として、この実施形態にあっては図８（Ｂ）から明らかなように、一対の半円形バンド１６ｂを使用している。
【００４１】
半円形バンド１６ｂは、バンドを構成する金属板を半円状に屈曲して両端に外側径方向に屈曲した締付片２０をそれぞれ形成し、締付片２０の部分には通し穴が設けられ、図示のように半円形バンド１６ｂを向かい合わせた状態で固定部材１８により第２スリーブ１４に外周側でスポット溶接により固定しており、２箇所に形成された一対の締付片２０に対し、それぞれボルト２２とナット２４による締付けで、内側に位置する第１スリーブ１２を締付け固定している。
【００４２】
この図７，図８の実施形態にあっては、バンド部材１６として２つに分かれた半円形バンド１６ｂを使用してボルト２２とナット２４により締付け固定しているため、バンド部材１６の中に図７のように第１スリーブ１２が位置したときの締付けが２箇所の締付けで行われることで、第２スリーブ１４の軸心線に対し第１スリーブ１２の軸心線が一致する方向にバンド部材１６による締付け、即ちセンタリングが行われ、バンド部材１６による第１スリーブ１２と第２スリーブ１４の組立精度を高めることができる。
【００４３】
また半円形バンド１６ｂの中央部を固定部材１８により第２スリーブ１４側に固定しており、固定部材１８による中央の固定部に対し両端の締付片２０の部分を締め付けることで、半円形バンド１６ｂのそれぞれにつき、中央の固定部から見た両端側が締付けにより内側に変位して第１スリーブ１２を全体とて締付け固定することとなり、これによってバンド部材による締付け強度を高めることができる。
【００４４】
なお上記の実施形態は第２スリーブ１４の外径Ｄ２＝１００ｍｍ、第１スリーブ１２の外径Ｄ１は板厚分だけ短いＤ１＝９６〜９７ｍｍとした場合を例にとっているが、このスリーブ外径についても必要に応じて適宜のタイプを揃えることができる。
【００４５】
またスリーブの外径が大きくなった場合には、強度を確保するためにスリーブの胴部に一定間隔でリブを形成することになる。
【００４６】
また本発明は上記の実施形態に限定されず、その目的と利点を損なうことのない適宜の変形を含み、更に上記の実施形態に示した数値による限定は受けない。
【図面の簡単な説明】
【００４７】
【図１】本発明による建築用スリーブ装置の一実施形態を示した説明図
【図２】図１の第１スリーブを取出して示した説明図
【図３】図１の第２スリーブ側を取出して示した説明図
【図４】図３の第２スリーブ側の組立分解図
【図５】本実施形態によるタイプと伸縮長さの一覧説明図
【図６】第２スリーブとバンド部材の固定数と固定位置による締付力の説明図
【図７】本発明による建築用スリーブ装置の他の実施形態を示した説明図
【図８】図７の第２スリーブ側を取出して示した説明図
【符号の説明】
【００４８】
１０：スリーブ装置
１２：第１スリーブ
１２ａ，１４ａ：上端部
１４：第２スリーブ
１６：バンド部材
１６ａ：円形バンド
１６ｂ：半円形バンド
１８：固定部材
１８ａ：スポット溶接部
２０：締付片
２０ａ：通し穴
２２：ボルト
２４：ナット
２６：固定金具
２８：釘ホルダ
３０：釘穴
【図１】
2007315059.tif 000003
【図２】
2007315059.tif 000004
【図３】
2007315059.tif 000005
【図４】
2007315059.tif 000006
【図５】
2007315059.tif 000007
【図６】
2007315059.tif 000008
【図７】
2007315059.tif 000009
【図８】
2007315059.tif 000010